(57)【要約】【課題】カフの内部の圧力を精度良く一定に保持すること。【解決手段】本発明では、気管に密着させるために設けられたカフの圧力を一定に保持するカフ圧調整器(1)において、ケーシング(14)の内部に、カフに接続した平板状の調整袋(2)を収容するための調整袋収容空間(15)と、平板状の調整袋(2)を調整バネ(10)で付勢した平板状の押圧板(11)で押圧することで調整袋(2)の圧力を一定に保持する圧力保持機構を収容するための圧力保持機構収容空間(16)とを形成することにした。また、圧力保持機構収容空間(16)は、複数の調整バネ(10)を押圧板(11)の隅部に配置するとともに、複数の調整バネ(10)の内側に、カフの圧力を測定し表示するための圧力計(8)と、カフと調整袋(2)とを接続するための接続管(3)と、接続管(3)の中途部を分岐して圧力計(8)に接続するための分岐管(7)とを配置することにした。【選択図】図１
2014183910.tif 000002
【特許請求の範囲】
【請求項１】
気管に密着させるために設けられたカフの圧力を一定に保持するカフ圧調整器において、
ケーシングの内部に、カフに接続した平板状の調整袋を収容するための調整袋収容空間と、前記平板状の調整袋を調整バネで付勢した平板状の押圧板で押圧することで調整袋の圧力を一定に保持する圧力保持機構を収容するための圧力保持機構収容空間とを形成したことを特徴とするカフ圧調整器。
【請求項２】
前記圧力保持機構収容空間は、複数の調整バネを押圧板の隅部に配置するとともに、複数の調整バネの内側に、カフの圧力を測定し表示するための圧力計と、カフと調整袋とを接続するための接続管と、接続管の中途部を分岐して圧力計に接続するための分岐管とを配置したことを特徴とする請求項１に記載のカフ圧調整器。
【発明の詳細な説明】
【技術分野】
【０００１】
本発明は、気管に密着させるために設けられたカフの圧力を一定に保持するカフ圧調整器に関するものである。
【背景技術】
【０００２】
従来より、気管挿管で使用される挿管チューブや気管切開で使用される気管カニューレなどには、気管の内壁面に密着させるために空気圧で変形するカフが設けられている。
【０００３】
このカフは、姿勢の変化などによって内部の圧力が低下することがある。カフの内部の圧力が低下してしまうと、気管の内壁とカフとの密着度が低下して、換気や呼気の漏洩や唾液の流入などが生じる危険性がある。
【０００４】
そのため、従来においては、カフに弾性素材からなる風船を接続してカフの内部の圧力を一定に保持するように構成されたカフ圧調整器が使用されている（たとえば、特許文献１参照。）。
【先行技術文献】
【特許文献】
【０００５】
【特許文献１】特開平１０−２７２１８４号公報
【発明の概要】
【発明が解決しようとする課題】
【０００６】
ところが、上記従来のカフ圧調整器では、弾性素材からなる風船の伸縮性を利用してカフの内部の圧力を一定に保持する構成であるために、外気温や大気圧などの外力の影響を受けやすく、カフの内部の圧力を精度良く一定に保持することが困難であった。
【課題を解決するための手段】
【０００７】
そこで、請求項１に係る本発明では、気管に密着させるために設けられたカフの圧力を一定に保持するカフ圧調整器において、ケーシングの内部に、カフに接続した平板状の調整袋を収容するための調整袋収容空間と、前記平板状の調整袋を調整バネで付勢した平板状の押圧板で押圧することで調整袋の圧力を一定に保持する圧力保持機構を収容するための圧力保持機構収容空間とを形成することにした。
【０００８】
また、請求項２に係る本発明では、前記請求項１に係る本発明において、前記圧力保持機構収容空間は、複数の調整バネを押圧板の隅部に配置するとともに、複数の調整バネの内側に、カフの圧力を測定し表示するための圧力計と、カフと調整袋とを接続するための接続管と、接続管の中途部を分岐して圧力計に接続するための分岐管とを配置することにした。
【発明の効果】
【０００９】
そして、本発明では、以下に記載する効果を奏する。
【００１０】
すなわち、本発明では、気管に密着させるために設けられたカフの圧力を一定に保持するカフ圧調整器において、ケーシングの内部に、カフに接続した平板状の調整袋を収容するための調整袋収容空間と、前記平板状の調整袋を調整バネで付勢した平板状の押圧板で押圧することで調整袋の圧力を一定に保持する圧力保持機構を収容するための圧力保持機構収容空間とを形成しているために、外気温や大気圧などの外力の影響を受けることなく、カフの内部の圧力を精度良く一定に保持することができる。
【００１１】
特に、前記圧力保持機構収容空間に、複数の調整バネを押圧板の隅部に配置するとともに、複数の調整バネの内側に、カフの圧力を測定し表示するための圧力計と、カフと調整袋とを接続するための接続管と、接続管の中途部を分岐して圧力計に接続するための分岐管とを配置した場合には、カフ圧調整器の小型化を図ることができ、持ち運びが容易なものとなって携帯性を向上させることができる。
【図面の簡単な説明】
【００１２】
【図１】本発明に係るカフ圧調整器を模式的に示す説明図。
【図２】同正面図。
【図３】同内部構造を示す正面図。
【図４】同内部構造を示す側面断面図。
【発明を実施するための形態】
【００１３】
以下に、本発明に係るカフ圧調整器の具体的な構成について図面を参照しながら説明する。
【００１４】
カフ圧調整器１は、気管に密着させるために挿管チューブや気管カニューレなどの端部に設けられた変形自在（膨張・収縮自在）のカフに接続して使用されるものであり、カフの内部の圧力を一定に保持する機能を有するものである。
【００１５】
このカフ圧調整器１は、図１に模式的に示すように、調整袋２に接続管３の基端部を接続し、接続管３の先端部に開閉弁付分岐管４を接続し、開閉弁付分岐管４の一方側にカフを連結するための連結管５を接続するとともに、開閉弁付分岐管４の他方側に注射器等の空気を圧入できる空気圧入具を連結するための連結管６を接続している。
【００１６】
また、カフ圧調整器１は、接続管３の中途部に分岐管７を介設し、分岐管７に圧力計８を連結管９を介して接続している。
【００１７】
さらに、カフ圧調整器１は、複数個（ここでは、４個）の調整バネ10で矩形薄板状の押圧板11を平行移動可能に付勢し、押圧板11で調整袋２を押圧している。
【００１８】
このカフ圧調整器１を使用する場合には、連結管５を介してカフを連結するとともに、連結管６を介して空気圧入具を連結し、開閉弁付分岐管４のカフ側の開閉弁12と空気圧入具側の開閉弁13とを開放状態として、空気圧入具を用いて空気を圧入する。それに伴って、カフ及び調整袋２が膨張する。その際に、カフ及び調整袋２の内部の圧力は、圧力計８で測定されて表示される。そのため、圧力計８を見ながら適切な圧力となるようにカフ及び調整袋２に空気を圧入することができる。空気を圧入した後には、空気圧入具側の開閉弁13だけを閉塞状態とする。
【００１９】
そして、姿勢変更などによってカフが圧縮されて収縮されると、カフの内部の空気が連結管５や接続管３を介して調整袋２に流入する。しかし、調整袋２が膨らむと調整バネ10で付勢された押圧板11で調整袋２を押圧する。これにより、調整袋２から接続管３や連結管５を介してカフへ空気が再び流れ込み、カフを膨張させて内部の圧力を一定に保持する。
【００２０】
このカフ圧調整器１は、図２〜図４に示すように、中空箱型状のケーシング14の内側下部に調整袋収容空間15を形成するとともに、ケーシング14の内側上部に圧力保持機構収容空間16を形成している。
【００２１】
ケーシング14は、底壁17の周囲に周壁18を形成して上方を開口させた下箱19と、天井壁20の周囲に周壁21を形成して下方を開口させた上箱22とで構成しており、下箱19の上部に上箱22を着脱可能に取付けることで内部に中空状の空間（調整袋収容空間15及び圧力保持機構収容空間16）を形成している。ここでは、下箱19の周壁18よりも上箱22の周壁21を高くして、調整袋収容空間15よりも圧力保持機構収容空間16の方が大きくなるようにしている。
【００２２】
調整袋収容空間15には、矩形平板状の調整袋２を収容している。調整袋２は、下箱19の底壁17の上部に載置している。この調整袋２は、下箱19の周壁18によって姿勢が保持されている。
【００２３】
圧力保持機構収容空間16には、調整バネ10と押圧板11を収容している。押圧板11は、調整袋２よりも一回り小さい矩形平板形状となっており、調整袋２の上部に載置している。押圧板11は、上箱22の周壁21によって姿勢が保持されている。この押圧板11の４か所の隅部には、調整バネ10を載置している。調整バネ10は、上箱22の天井壁20の下面に上下に移動可能に螺着した調整ネジ23と押圧板11の上面との間に介設されている。これにより、調整バネ10によって押圧板11を上下方向に平行移動可能に付勢し、押圧板11で調整袋２を押圧するようにしている。すなわち、調整バネ10と押圧板11とは、調整袋２を調整バネ10で付勢した押圧板11で押圧することで調整袋２の内部の圧力を一定に保持するための圧力保持機構として機能する。
【００２４】
また、圧力保持機構収容空間16には、接続管３と分岐管７と圧力計８も収容している。接続管３と分岐管７と圧力計８とは、４個の調整バネ10の内側に形成された空間に配置している。圧力計８は、上箱22の天井壁20に表示部を外側に露出させた状態で取付けている。なお、上箱22の周壁21には開閉弁付分岐管４を取付けている。
【００２５】
上記カフ圧調整器１においては、調整袋２の容積をカフの容積よりも大きくして、カフの容積の変化量が調整袋２の容積に占める割合が小さくなるようにしている。また、調整袋２は、調整バネ10の伸縮方向の寸法（高さ）を短くし、それと直交する方向の寸法（縦、横）を長くして、調整バネ10の伸縮する長さ（調整する長さ）が短くなるようにしている。調整バネ10は、調整ネジ23を用いることで押圧板11を平行に移動するようにしている。押圧板11は、調整袋２よりも一回り小さくして、上箱22の周壁21との間に接続管３を配管している。
【００２６】
以上に説明したように、上記カフ圧調整器１では、ケーシング14の内部に、カフに接続した平板状の調整袋２を収容するための調整袋収容空間15と、平板状の調整袋２を調整バネ10で付勢した平板状の押圧板11で押圧することで調整袋２の圧力を一定に保持する圧力保持機構を収容するための圧力保持機構収容空間16とを形成した構成となっている。
【００２７】
そのため、上記構成のカフ圧調整器１では、外気温や大気圧などの外力の影響を受けることなく、カフの内部の圧力を精度良く一定に保持することができる。
【００２８】
また、上記カフ圧調整器１では、圧力保持機構収容空間16に、複数の調整バネ10を押圧板11の隅部に配置するとともに、複数の調整バネ10の内側に、カフの圧力を測定し表示するための圧力計８と、カフと調整袋２とを接続するための接続管３と、接続管３の中途部を分岐して圧力計８に接続するための分岐管７とを配置した構成となっている。
【００２９】
そのため、上記構成のカフ圧調整器１では、圧力保持機構収容空間16の内部を効率良く利用して、小型化を図ることができ、持ち運びが容易なものとなって携帯性を向上させることができる。
【符号の説明】
【００３０】
１  カフ圧調整器                  ２  調整袋
３  接続管                        ４  開閉弁付分岐管
5,6  連結管                       ７  分岐管
８  圧力計                        ９  連結管
10  調整バネ                      11  押圧板
12,13  開閉弁                     14  ケーシング
15  調整袋収容空間                16  圧力保持機構収容空間
17  底壁                          18  周壁
19  下箱                          20  天井壁
21  周壁                          22  上箱
23  調整ネジ
【図１】
2014183910.tif 000003
【図２】
2014183910.tif 000004
【図３】
2014183910.tif 000005
【図４】
2014183910.tif 000006